(57)【要約】      （修正有）【課題】ホワイトボード（白板）、ブラックボード（黒板）を夜間でも可視可能にし、更に点滅や色の変化によるイルミネーション効果を持たせ、夜間においてレストラン等の店頭でのメニューの表示による宣伝効果を向上する表示板を提供する。【解決手段】光源として発光ダイオード（ＬＥＤ）１８を使用し、アクリル板２０等の透明な板材の側面から光を入射し、板材の表面に描いた文字、画像を夜間、暗部でも可視可能にする。【選択図】図４
0003159550.tif 000002
【実用新案登録請求の範囲】
【請求項１】
LEDとも呼ばれる発光ダイオードを光源とし、透明、無色のアクリル板、ガラス、又はその他の素材によって製造された板材の辺部端面から板材内部に光を入射し、その板材の背面に白色、黒色、又はその他の色の塗料を塗り、板材の表面にマーカー等によって描かれた文字、画像を昼間だけでなく、光によって夜間でも容易に可視出来るようにしたことを特徴とする表示装置。
【請求項２】
LEDとも呼ばれる発光ダイオードを光源とし、透明、無色のアクリル板、ガラス、又はその他の素材によって製造された板材の辺部端面から板材内部に光を入射し、その板材の背面に請求項1の塗料を塗る代わりに白色の板又はシートを配置し、板材の表面にチョーク等の粉の入った非透過のマーカーだけでなく、透過系のマーカー等によって描かれた文字、画像を昼間だけでなく、光によって夜間でも容易に可視出来るようにしたことを特徴とする表示装置。
【請求項３】
LEDとも呼ばれる発光ダイオードを光源とし、透明、有色或いは無色のアクリル板、ガラス、又はその他の素材によって製造された板材の辺部端面から板材内部に光を入射し、背面に塗料を塗らず、両面から反対側が透けて見えるような構造にし、板材の表面にマーカー等によって描かれた文字、画像を両面から、昼間だけでなく、光によって夜間でも容易に可視出来るようにしたことを特徴とする表示装置。
【請求項４】
請求項１の表示板に使用するLEDに白、赤、緑、青、黄等のそれぞれ異なる色を発光するものを使用し、それらのLEDを点滅、又は常時点灯させる装置を装備し、常時点灯、点滅または色の変化によるイルミネーション効果を持たせたことを特徴とする表示板。
【請求項５】
請求項２の表示板に使用するLEDに白、赤、緑、青、黄等のそれぞれ異なる色を発光するものを使用し、それらのLEDを点滅、又は常時点灯させる装置を装備し、常時点灯、点滅または色の変化によるイルミネーション効果を持たせたことを特徴とする表示板。
【請求項６】
請求項３の表示板に使用するLEDに白、赤、緑、青、黄等のそれぞれ異なる色を発光するものを使用し、それらのLEDを点滅、又は常時点灯させる装置を装備し、常時点灯、点滅または色の変化によるイルミネーション効果を持たせたことを特徴とする表示板。
【請求項７】
請求項１の表示板に使用するLEDに自動点滅しないものと、点滅を自動で行う自動点滅LEDを使用し、それらのLEDに常時点灯使用、或は点滅使用に切り替えて使うための切り替えスイッチを装備し、常時点灯と、点滅または色の変化によるイルミネーション効果を持たせたことを特徴とする表示板。
【請求項８】
請求項２の表示板に使用するLEDに自動点滅しないものと、点滅を自動で行う自動点滅LEDを使用し、それらのLEDに常時点灯使用、或は点滅使用に切り替えて使うための切り替えスイッチを装備し、常時点灯と、点滅または色の変化によるイルミネーション効果を持たせたことを特徴とする表示板。
【請求項９】
請求項３の表示板に使用するLEDに自動点滅しないものと、点滅を自動で行う自動点滅LEDを使用し、それらのLEDに常時点灯使用、或は点滅使用に切り替えて使うための切り替えスイッチを装備し、常時点灯と、点滅または色の変化によるイルミネーション効果を持たせたことを特徴とする表示板。
【考案の詳細な説明】
【技術分野】
【０００１】
本考案は、主にマーカーペンによって文字等を記入するホワイトボード「白板」、或いはチョークによって文字等を記入するブラックボード「黒板」と呼ばれる表示板に関するものである。
【背景技術】
【０００２】
レストラン、居酒屋等において日々内容や価格が変わる「本日のランチ」等は固定のメニューに記入することが出来ず、店頭に白板或いは黒板を置き、手で内容を記入している。そのままでは夜は見にくいので電灯で照らしている。白板、黒板を電灯で照らす方式では消費電力もかさみ、点滅等のイルミネーション効果を出し、集客に寄与することも困難である。そのため、それらの問題を解決するように特開2000-39851広報、実用新案出願公開番号実開平5-70985号広報等が公開されている。また、韓国製製品「スパクルボード」（製品名）も販売されている。
【考案の開示】
【考案が解決しようとする課題】
【０００３】
しかしながら、特開2000-39851広報、実用新案出願公開番号実開平5-70985号広報によって公開されている構造は暗部での認識のみを考慮しており、点滅や色のバリエーションを多様化し、宣伝効果を高めることは期待できない。
【０００４】
また、韓国製製品「スパクルボード」は背面に黒色のシートを配しており、塗料によって背面を塗ったものより製造コストがかかり、またチョークの粉が入ったマーカーを使用せず、通常に市販されている透過系のマーカーで文字を書いた場合、認識できない。
【課題を解決するための手段】
【０００５】
そこで、本考案は上記問題点を解決するために成されたもので、夜間、暗部でも可視可能となり、点滅や色のバリエーションを多様化することによる宣伝効果の向上、更に、透過系のマーカーの使用を可能にし、製造コストも低減する表示板を考案した。
【考案の効果】
【０００６】
本考案によりレストラン、居酒屋では夜間においても容易に可視できる看板を店頭に配置でき、点滅や色のバリエーションの多様化により遠方からも目立たせることも可能となり、宣伝効果が向上する。
【０００７】
請求項１の考案によれば、 背面に塗料を塗る方式は、背面にシートを配置する方式よりも安価に製造でき、またその前面に配置してある透明の板との密着度がシートを配置するよりも数段向上し、表面に記入した文字或いは画像をLEDの光によって浮き立たせる効果も向上する。
【０００８】
請求項２の考案によれば、白色の板またはシートを透明版の背面に配置することにより請求項１で白色の塗料を縫ったのと同様に透過系のマーカーにて文字或いは画像を記入しても認識が可能になる。
【０００９】
請求項３の考案によれば、両面から反対側が透けて見える構造にすることにより、側面からの光による文字の浮き上がり方は請求項１或いは請求項２よりも多少劣るが、片面だけでなく両面から板に記入した画像を認識することが可能となり、使用方法が多様化する。
【００１０】
請求項１において白色の塗料を背面に縫った場合、及び請求項２の場合、背面が白色のため、昼間はLEDを発光させることなく通常のホワイトボードとしての使用も可能となり、電力の節約にも寄与できる。
【００１１】
請求項４、請求項５、請求項６、請求項７、請求項８、請求項９の考案によれば、光源の点滅、発光色の多様化により、イルミネーション効果が増大し、より宣伝効果を高めることが出来る。
【考案を実施するための最良の形態】
【００１２】
本考案に係る表示板は請求項１、請求項２、請求項３、請求項４、請求項５、請求項６、請求項７、請求項８、または請求項９のいずれかの特徴を持ち、
使用者は、使用目的に合わせてそれぞれの特徴を持った表示板の中から、いずれかを選択して使用することにより、 店舗での宣伝効果を増大させることが出来る。
【００１３】
実施方法は、表示板を製造する製造業者は請求項１、請求項２、請求項３、請求項４、請求項５、請求項６、請求項７、請求項８、または請求項９のいずれかの表示板を製造、販売し、使用者は、使用目的に合わせて購入し、使用する。
【図面の簡単な説明】
【００１４】
【図１】本考案の請求項１に係る表示板を側面から見た断面図である。
【図２】本考案の請求項２に係る表示板を側面から見た断面図である。
【図３】本考案の請求項３に係る表示板を側面から見た断面図である。
【図４】本考案の請求項１、請求項２、請求項３に係る表示板を正面から見た外観図である。
【図５】本考案の請求項４、請求項５、請求項６に係る表示板の回路図である。
【図６】本考案の請求項７、請求項８、請求項９に係る表示板の回路図である。
【符号の説明】
【００１５】
１    アクリル板、ガラス、その他の素材で製造された透明な板材。
【００１６】
２    背面に塗られた塗料。
【００１７】
３    光源となる発光ダイオード（LED)。板材の大きさによって１辺に必要な個数分配置する。また、４辺全てに必ず配置する必要はなく、板材の大きさにより、１辺から４辺に配置する。
【００１８】
４    マーカーで文字、画像等を描く板材の表面。
【００１９】
５    背面に配置された白色の板またはシート。
【００２０】
６    アクリル板、ガラス、その他の素材で製造された有色または無色の透明な板材。
【００２１】
７    LEDの光は板材方向のみに照射され、側面、背面には光が漏れないように非透明の板またはシートで覆いをするか、内部へ格納する。
【００２２】
８    PICコントローラ(Peripheral Interface Controller)等の電流をオン／オフし、LEDを点滅させる装置。
【００２３】
９    制限抵抗または定電流ダイオード（CRD)。
【００２４】
１０  自動点滅しない発光ダイオード(LED)。
【００２５】
１１  電源。
【００２６】
１２  電源スイッチ。
【００２７】
１３  板材の大きさによって必要なLEDの個数が異なるため、必要に応じて直列または並列にPICコントローラを1個から数個並べて使用する。
【００２８】
１４  板材の大きさによって必要なLEDの個数が異なるため、直列に接続したLEDのセットを必要に応じて並列に並べて使用する。
【００２９】
１５  板材の大きさによって必要なLEDの個数が異なるため、必要に応じて直列にLEDを並べて使用する。
【００３０】
１６  自動点滅する発光ダイオード(LED)。
【００３１】
１７  切り替えスイッチ。
【００３２】
１８  発光ダイオード（LED)。板材の大きさによって１辺に必要な個数分配置する。また、４辺全てに配置する必要はなく、板材の大きさにより１辺から４辺に配置する。
【００３３】
１９  LEDを配置した部分は覆いを被せ中心部の板材方向以外には光が漏れないようにする。
【００３４】
２０  アクリル板、ガラス、その他の素材で製造され、マーカーで文字、画像等を描く板材の正面。
【図１】
0003159550.tif 000003
【図２】
0003159550.tif 000004
【図３】
0003159550.tif 000005
【図４】
0003159550.tif 000006
【図５】
0003159550.tif 000007
【図６】
0003159550.tif 000008
【手続補正書】
【提出日】平成22年3月18日(2010.3.18)
【手続補正１】
【補正対象書類名】実用新案登録請求の範囲
【補正対象項目名】請求項１
【補正方法】変更
【補正の内容】
【請求項１】
LEDとも呼ばれる発光ダイオードを光源とし、アクリル、ガラス、プラスチックに代表される
透明、無色の素材によって製造された板材の辺部端面から板材内部に光を入射し、その板材の背面に白色または黒色の塗料を塗り、
板材の表面にマーカー等によって描かれた文字、画像を昼間だけでなく、光によって夜間でも容易に可視出来るようにしたことを特徴とする表示装置。
【手続補正２】
【補正対象書類名】実用新案登録請求の範囲
【補正対象項目名】請求項２
【補正方法】変更
【補正の内容】
【請求項２】
LEDとも呼ばれる発光ダイオードを光源とし、アクリル、ガラス、プラスチックに代表される
透明、無色の素材によって製造された板材の辺部端面から板材内部に光を入射し、その板材の背面に白色の板、又は白色のシートを配置し、
板材の表面にチョーク等の粉の入った非透過質のマーカーだけでなく、
通常のホワイトボードに文字を書くときに使用される透過質のマーカー等によって描かれた文字、画像をも、
昼間だけでなく、光によって夜間でも容易に可視出来るようにしたことを特徴とする表示装置。
【手続補正３】
【補正対象書類名】実用新案登録請求の範囲
【補正対象項目名】請求項３
【補正方法】変更
【補正の内容】
【請求項３】
LEDとも呼ばれる発光ダイオードを光源とし、アクリル、ガラス、プラスチックに代表される
透明で有色、或は透明で無色の素材によって製造された板材の辺部端面から板材内部に光を入射し、
その板材の前面及び背面には何も処理を施さず、両面から反対側が透けて見えるような構造にし、
板材の表面にマーカー等によって描かれた文字、画像を両面から、昼間だけでなく、光によって夜間でも容易に可視出来るようにしたことを特徴とする表示装置。
【手続補正４】
【補正対象書類名】実用新案登録請求の範囲
【補正対象項目名】請求項４
【補正方法】変更
【補正の内容】
【請求項４】
LEDに白、赤、緑、青、黄等のそれぞれ異なる色を発光するものを使用し、
それらのLEDを点滅、又は常時点灯させる装置を装備し、
常時点灯、点滅または色の変化によるイルミネーション効果を持たせたことを特徴とする請求項１に記載の表示装置。
【手続補正５】
【補正対象書類名】実用新案登録請求の範囲
【補正対象項目名】請求項５
【補正方法】変更
【補正の内容】
【請求項５】
LEDに白、赤、緑、青、黄等のそれぞれ異なる色を発光するものを使用し、
それらのLEDを点滅、又は常時点灯させる装置を装備し、
常時点灯、点滅または色の変化によるイルミネーション効果を持たせたことを特徴とする請求項２に記載の表示装置。
【手続補正６】
【補正対象書類名】実用新案登録請求の範囲
【補正対象項目名】請求項６
【補正方法】変更
【補正の内容】
【請求項６】
LEDに白、赤、緑、青、黄等のそれぞれ異なる色を発光するものを使用し、
それらのLEDを点滅、又は常時点灯させる装置を装備し、
常時点灯、点滅または色の変化によるイルミネーション効果を持たせたことを特徴とする請求項３に記載の表示装置。
【手続補正７】
【補正対象書類名】実用新案登録請求の範囲
【補正対象項目名】請求項７
【補正方法】変更
【補正の内容】
【請求項７】
LEDに白、赤、緑、青、黄等のそれぞれ異なる色を発光する自動点滅しないものと、点滅を自動で行う自動点滅LEDを使用し、
複数個の自動点滅しないLEDのみで構成し、それらのLEDを直列に接続した配線回路と、
自動点滅するLEDを1個と複数個の自動点滅しないLEDで構成し、それらのLEDを直列に接続した配線回路の２系統の配線回路を装備し、
その２系統の回路を替えることによって、常時点灯使用、或は点滅使用に切り替えて使うための切り替えスイッチを装備し、
常時点灯と、点滅または色の変化によるイルミネーション効果を持たせたことを特徴とする請求項１に記載の表示装置。
【手続補正８】
【補正対象書類名】実用新案登録請求の範囲
【補正対象項目名】請求項８
【補正方法】変更
【補正の内容】
【請求項８】
LEDに白、赤、緑、青、黄等のそれぞれ異なる色を発光する自動点滅しないものと、点滅を自動で行う自動点滅LEDを使用し、
複数個の自動点滅しないLEDのみで構成し、それらのLEDを直列に接続した配線回路と、
自動点滅するLEDを1個と複数個の自動点滅しないLEDで構成し、それらのLEDを直列に接続した配線回路の２系統の配線回路を装備し、
その２系統の回路を替えることによって、常時点灯使用、或は点滅使用に切り替えて使うための切り替えスイッチを装備し、
常時点灯と、点滅または色の変化によるイルミネーション効果を持たせたことを特徴とする請求項２に記載の表示装置。
【手続補正９】
【補正対象書類名】実用新案登録請求の範囲
【補正対象項目名】請求項９
【補正方法】変更
【補正の内容】
【請求項９】
LEDに白、赤、緑、青、黄等のそれぞれ異なる色を発光する自動点滅しないものと、点滅を自動で行う自動点滅LEDを使用し、
複数個の自動点滅しないLEDのみで構成し、それらのLEDを直列に接続した配線回路と、
自動点滅するLEDを1個と複数個の自動点滅しないLEDで構成し、それらのLEDを直列に接続した配線回路の２系統の配線回路を装備し、
その２系統の回路を替えることによって、常時点灯使用、或は点滅使用に切り替えて使うための切り替えスイッチを装備し、
常時点灯と、点滅または色の変化によるイルミネーション効果を持たせたことを特徴とする請求項３に記載の表示装置。